(57)【要約】【課題】予めレバーを取り付ける構造になっていない既存のコネクタであっても容易に取り外すことができる取り外し器具を提供する。【解決手段】雄型１２と雌型１４に分離可能なコネクタ１０に装着される取り外し器具２０であって、雄型１２の外周を覆って装着される本体部２１と、一端部が本体部２１の側面に回動可能に取り付けられた２本の支持部３２を有するレバー３０とを備え、レバー３０の２本の支持部３２の一端部が支点となり、雌型１４の雄型１２側の端面１９を、雄型１２と雌型１４とを分離する方向に押圧する作用点となる部位３３がレバー３０に形成されている。【選択図】図４
2011243451.tif 000002
【特許請求の範囲】
【請求項１】
雄型と雌型に分離可能なコネクタに装着される取り外し器具であって、
雄型の外周を覆って装着される本体部と、
一端部が本体部の側面に回動可能に取り付けられた２本の支持部を有するレバーとを備え、
該レバーの２本の支持部の一端部が支点となり、雌型の雄型側の端面を、雄型と雌型とを分離する方向に押圧する作用点となる部位がレバーに形成されていることを特徴とするコネクタの取り外し器具。
【請求項２】
該レバーは、２本の支持部の他端部どうしの間に取り付けられた操作部を有し、該レバーの操作部が力点として作用することを特徴とする請求項１記載のコネクタの取り外し器具。
【請求項３】
前記支持部の支点は、本体部の先端部側に位置しており、
前記支持部の作用点は、支持部の一端部と他端部との間において雌型の端面を押圧するように雌型方向に突出する突出部として形成されていることを特徴とする請求項１または請求項２記載のコネクタの取り外し器具。
【請求項４】
前記本体部は、
雄型における、雌型への装着方向である先端部から雄型を収納し、
本体部が雄型の先端部方向には抜けないように、第１の抜け止めが形成されていることを特徴とする請求項１〜請求項３のうちのいずれか１項記載のコネクタの取り外し器具。
【請求項５】
前記本体部は、
雄型における、雌型への装着方向である先端部から雄型を収納し、
本体部が雄型の後端部方向には抜けないように、第２の抜け止めが形成されていることを特徴とする請求項１〜請求項４のうちのいずれか１項記載のコネクタの取り外し器具。
【発明の詳細な説明】
【技術分野】
【０００１】
本発明は、主としてパーソナルコンピュータ内で使用されるコネクタの取り外しを容易に行うことができる器具に関する。
【背景技術】
【０００２】
パーソナルコンピュータ（以下、単にＰＣと称する場合がある）内で使用されるコネクタ類には、種々のものが存在するが、特に電源コネクタについてはその取り外しが容易ではない。
非常に固く接続されているコネクタを取り外すには、作業者が手でコネクタを掴んで左右に少しずつ揺らしながら根気よく緩めていく方法が一般的である。
【０００３】
そこで、従来よりコネクタを取り外すための工夫が提案されている。
特許文献１には、予め２本のレバーが固定軸を中心に回動可能となるように取り付けられたコネクタが開示されており、テコの原理を利用して容易に取り外せるということが記載されている。
【０００４】
また、特許文献２には、コネクタの内部に、コネクタの往復動によって回動するレバーを設け、レバーのテコ作用によりコネクタを容易に取り外す構成が開示されている。
【先行技術文献】
【特許文献】
【０００５】
【特許文献１】実用新案登録第３１１６９６０号公報
【特許文献２】特開平１１−２６０４７４号公報
【発明の開示】
【発明が解決しようとする課題】
【０００６】
上述した特許文献１や特許文献２のコネクタには、テコの原理を用いて容易に取り外せるようなレバーが設けられているので、確かにこれらのコネクタについては取り外しが容易となると考えられる。
しかしながら、これら従来のコネクタには予めレバーを取り付ける構造にしておかなくてはならない。すなわち、このようなレバーが設けられていない既存のコネクタについては、やはり容易に取り外すことができないという課題がある。
【０００７】
そこで本発明は上記課題を解決すべくなされ、その目的とするところは、予めレバーを取り付ける構造になっていない既存のコネクタであっても容易に取り外すことができる取り外し器具を提供することにある。
【課題を解決するための手段】
【０００８】
本発明にかかるコネクタの取り外し器具によれば、雄型と雌型に分離可能なコネクタに装着される取り外し器具であって、雄型の外周を覆って装着される本体部と、一端部が本体部の側面に回動可能に取り付けられた２本の支持部を有するレバーとを備え、該レバーの２本の支持部の一端部が支点となり、雌型の雄型側の端面を、雄型と雌型とを分離する方向に押圧する作用点となる部位がレバーに形成されていることを特徴としている。
一般的にコネクタは、雄型が電源側に、雌型が電源が供給される機器側に配置されている。したがって、上記の構成によれば、スペース的に余裕が無い雌型に装着するよりも、雄型に取り外し器具を装着することで、取り外し器具の装着自体が容易となる。また、雄型よりも雌型の方が端面の面積が大きいので押圧しやすい。
そして、取り外し用のレバー等が設けられていない既存のコネクタであっても、雄型に装着すればレバーを操作して容易に雄型と雌型の取り外しが可能となる。
【０００９】
また、該レバーは、２本の支持部の他端部どうしの間に取り付けられた操作部を有し、該レバーの操作部が力点として作用することを特徴としてもよい。
この構成によれば、単に支持部を押すだけよりも効率よくレバーを押すことができ、雄型と雌型の分離がさらに容易となる。
【００１０】
なお、前記支持部の支点は、本体部の先端部側に位置しており、前記支持部の作用点は、支持部の一端部と他端部との間において雌型の端面を押圧するように雌型方向に突出する突出部として形成されていることを特徴としてもよい。
この構成によれば、作業者がレバーを雌型方向に押すことにより、支持部が雌型方向に回動し、これにより支持部の突出部が雌型の端面を押圧するので、テコの原理により容易に雄型と雌型の取り外しが行える。
【００１１】
また、前記本体部は、雄型における、雌型への装着方向である先端部から雄型を収納し、本体部が雄型の先端部方向には抜けないように、第１の抜け止めが形成されていることを特徴としてもよい。
この構成によれば、雄型を後端部側から引っ張ったとしても本体部と雄型とが分離しないようにすることができる。
【００１２】
また、前記本体部は、雄型における、雌型への装着方向である先端部から雄型を収納し、本体部が雄型の後端部方向には抜けないように、第２の抜け止めが形成されていることを特徴としてもよい。
この構成によれば、雌型の端面をレバーが押圧した場合において、レバーの押圧力の反作用により本体部が雄型の後端部側から抜けてしまうことを防止することができる。
【発明の効果】
【００１３】
本発明にかかるコネクタの取り外し器具によれば、予めレバーを取り付ける構造になっていない既存のコネクタであっても、容易に雄型と雌型を取り外すことができる。
【図面の簡単な説明】
【００１４】
【図１】コネクタの平面図である。
【図２】図１のコネクタの側面図である。
【図３】図１、図２のコネクタに装着する取り外し器具の背面図である。
【図４】図３の取り外し器具の側面図である。
【図５】図３の取り外し器具の平面図である。
【図６】取り外し器具の側方からの断面図である。
【図７】取り外し器具の底面図である。
【発明を実施するための形態】
【００１５】
本発明にかかるコネクタの取り外し器具について、図面に基づいて説明する。
まず、図１に既存のコネクタの平面図を、図２に既存のコネクタの側面図を示す。
本実施形態で説明するコネクタ１０は、ＰＣ内でＩＤＥ機器（内蔵型ハードディスクドライブや内蔵型ディスクドライブ等）に電源を供給するための電源ラインを接続する電源コネクタを例に挙げている。ここで示すコネクタ１０は、４本のケーブル１３を並列に接続させるタイプのものである。
【００１６】
コネクタ１０は、機器側に設けられている雌型１４と、電源側に設けられている雄型１２とからなる。雄型１２の後端部にはケーブル１３が接続されている。雌型１４には、雄型１２の先端部が挿入される凹部１５が形成されている。
雌型１４の凹部１５内に雄型１２の先端部が挿入されることによって、雌型１４を設けている機器に電源が供給されるよう、雄型１２と雌型１４とが電気的に接続される。
【００１７】
図３に取り外し器具の背面図を、図４に取り外し器具の側面図を、図５に取り外し器具の平面図を示す。
また、図６に取り外し器具の断面図を、図７に取り外し器具の底面図を示す。図６、図７ではレバー３０を省略して図示している。
【００１８】
取り外し器具２０は、コネクタ１０の雄型１２の外周に装着されるものであり、雄型１２の外周よりもやや大きめの内径の収納部２３を有する断面ほぼ四角形状の筒状の本体部２１と、雌型１４の端面１９を押圧するレバー３０とを有している。
これら取り外し器具２０は合成樹脂製のものを想定しているが、他の材質であってもよい。
そして、レバー３０は、本体部２１の収納部２３の内壁面において、内壁面に直交する方向を軸線方向として回動可能に設けられている。
【００１９】
本体部２１は、その内側にコネクタ１０の雄型１２を収納するための収納部２３が形成されている。収納部２３の内壁面には、雄型１２の外周壁に形成されている凸条（リブ）１６を収納する収納溝２４が形成されている。
なお、コネクタ１０の外周壁の形状に合わせて、本体部２１の収納部２３の内壁面の形状を決定する。したがって、本発明としては収納溝２４が形成されていなくてもよい。
【００２０】
本体部２１の上面には、レバー３０を先端部側と後端部側との間で動作させるための開口部２６が形成されている。開口部２６からは、レバー３０が突出しており作業者がレバー３０を操作可能である。
本実施形態の開口部２６については、本体部２１の上面全体が開口しているものについて図示したが、レバー３０の２本の支持部３２（後述する）が移動できる２本の溝が開口部２６として形成されていてもよい。
【００２１】
なお、本明細書中で雄型１２における先端部側とは、雌型１４に装着される側のことであり、後端部側とは、先端部側とは装着方向に対して対向する側でありケーブル１３が挿入されている側のことである。
【００２２】
本実施形態における本体部２１は、雄型１２の先端部側から挿入する。ここで使用している雄型１２は後端部側の両側面に突起３１が形成されているので、雄型１２の後端部側から本体部２１を挿入させようとすると、突起３１が本体部２１の両側面に引っかかって挿入できないためである。
【００２３】
また、本体部２１の後端部側の端面には、本体部２１を雄型１２に装着した後に雄型１２の先端部側から本体部２１が抜けてしまうことを防止する抜け止め２８（特許請求の範囲でいう第１の抜け止め）が形成されている。
抜け止め２８は、本体部２１の底面において、収納部２３の内側及び外側に揺動可能となるよう、他の底面の部位とは一部切り離されて形成されている。また、抜け止め２８の後端部２８ａは、本体部２１の後端部において外周側から内方に向けて突出する壁部として形成されており、この抜け止め２８の後端部２８ａに雄型１２の後端部側の端面が当接し、本体部２１が雄型１２の先端部側からの抜けを防止する。
【００２４】
上述したように、本体部２１は雄型１２の先端部側から挿入させるので、抜け止め２８が邪魔になってしまうことも考えられる。しかし、本実施形態の抜け止め２８は他の底面の部位とは一部切り離されているので、弾性力によって本体部２１に雄型１２を挿入させる際には抜け止め２８が外方側に倒れ、挿入が可能である。
挿入終了後は抜け止め２８は、弾性力による倒れから元の状態に復帰し、後端部２８ａが雄型１２の後端部よりも外側に位置して垂直に立ち上がり、雄型１２の後端部の端面に当接する。このため、雄型１２を本体部２１に対して後端部側から引き抜こうとしても雄型１２の後端部の端面に抜け止め２８が当接していて引き抜くことができない。
【００２５】
また、本体部２１の収納部２３の内壁面には、本体部２１を雄型１２に装着した後に雄型１２の後端部側から本体部２１が抜けてしまうことを防止する抜け止め２９（特許請求の範囲でいう第１の抜け止め）が形成されている。
抜け止め２９は、雄型１２の底面に形成されている突起１７の先端部側端面に当接する段差である。
この段差２９が収納部２３の内壁面に形成されていることにより、雄型１２を本体部２１に対して先端部側から引き抜こうとしても雄型１２の突起１７が段差２９に当接するので、雄型１２を先端部側に引き抜くことができない。
【００２６】
次にレバー３０の構造について説明する。
レバー３０は、２本の支持部３２と、２本の支持部の他端部同士の間に設けられた操作部３４とを有している。支持部３２の一端部は、本体部２１の収納部２３の内壁面に回動可能に取り付けられている。支持部３２の回動軸は、雄型１２と雌型１４の引き抜き方向と直交する方向に、その軸線が向くように設けられている。
【００２７】
両支持部３２には、雌型１４方向（先端部方向）に突出するように湾曲して形成された作用点となる部位が設けられている。
この作用点となる部位は雌型方向に突出する突起部３３であり、支持部３２が後端部側に回動している時には、本体部２１内部に収納されて先端部側に突出しないように形成されており、支持部３２が先端部側に回動している時には、本体部２１から先端部方向に突出し、雌型１４の雄型１２に対向する端面を押圧するように設けられている。
【００２８】
両支持部３２の他端部どうしを接続するように、操作部３４が配置されている。操作部３４は、作業者が支持部３２を回動させるために押圧する部位であり、常時本体部２１の外部に突出して配置されている。
【００２９】
レバー３０が後端部側に回動している状態のときに、作業者が操作部３４を押圧すると、レバー３０の支持部３２が先端部側に回動し、雌型１４方向に突出している部位３３が雌型１４の端面を押圧する。すると、突出している部位３３が雌型１４に対して雄型１２を離間させるように力が働く。
これにより、雄型１２と雌型１４との間の接続が容易に解除できる。
【００３０】
なお、レバー３０の形状はこのようなものに限定することはなく、雌型１４の端面をテコの原理で押圧可能なものであればよい。
【００３１】
また、コネクタについても、４本のケーブルが並列に配置される電源コネクタに限定することはなく、他の形状のコネクタであってもよい。
【符号の説明】
【００３２】
１０  コネクタ
１２  雄型
１３  ケーブル
１４  雌型
１５  凹部
１７  突起
１９  雌型の端面
２０  取り外し器具
２１  本体部
２３  収納部
２４  収納溝
２６  開口部
２８  抜け止め
２８ａ  後端部
２９  抜け止め（段差）
３０  レバー
３２  支持部
３３  突起部
３４  操作部
【図１】
2011243451.tif 000003
【図２】
2011243451.tif 000004
【図３】
2011243451.tif 000005
【図４】
2011243451.tif 000006
【図５】
2011243451.tif 000007
【図６】
2011243451.tif 000008
【図７】
2011243451.tif 000009